(57)【特許請求の範囲】
【請求項１】
中央制御装置、ＥＭＩアンテナ、ＥＭＩアンテナ位置移動装置、デジタイザ装置、周波数解析装置、データ記憶装置、外来ノイズ検出アンテナを有し、被測定物及びＥＭＩアンテナを囲むように複数の外来ノイズ検出アンテナを配設し、前記被測定物からの電磁妨害波を測定する電磁妨害波測定装置において、前記ＥＭＩアンテナ、外来ノイズ検出アンテナで検出された電磁波ノイズのタイミングで被測定対象物からの電磁波ノイズか外来電磁波ノイズか判断を行うことを特徴とする電磁妨害波測定装置。
【請求項２】
請求項１において、前記外来ノイズ検出アンテナの外側にさらにもう１層外来ノイズ検出アンテナを配置し、電磁波ノイズのタイミングで被測定対象物からの電磁波ノイズか外来電磁波ノイズか判断を行う場合、電磁波の空間伝搬位相も考慮に入れることを特徴とする電磁妨害波測定装置。
【請求項３】
請求項２において、装置全体をシート状のもので密封し、内部に高誘電体気体を充満させ、電磁波ノイズのタイミングで被測定対象物からの電磁波ノイズか外来電磁波ノイズか判断を行う場合、電磁波の空間伝搬位相と誘電体気体の誘電率も考慮に入れることを特徴とする電磁妨害波測定装置。
【請求項４】
請求項１において、前記ＥＭＩアンテナあるいは外来ノイズ検出アンテナをＸＹ直交成分の電磁波を検出できるように配置した切り替え装置を有することを特徴とする電磁妨害波測定装置。
【請求項５】
請求項１において、前記ＥＭＩアンテナあるいは外来ノイズ検出アンテナをヘリカルアンテナの様に円偏波アンテナとしたことを特徴とする電磁妨害波測定装置。
【請求項６】
請求項１において、被測定物の上下に電波吸収体を配置させたことを特徴とする電磁妨害波測定装置。
【請求項７】
請求項６において、前記外来ノイズ検出アンテナがＹ字型に配置されていることを特徴とする電磁妨害波測定装置。
【請求項８】
請求項６において、前記外来ノイズ検出アンテナを２つ被測定物を中心として直線状に配置し、該被測定物の側方のどちらかに反射体を配置したことを特徴とする電磁妨害波測定装置。
【請求項９】
請求項６において、前記外来ノイズ検出アンテナを２つ被測定物を中心として直線状に配置し、該被測定物の側方のどちらかにパラボラ形状の反射体を配置し、その焦点がＥＭＩアンテナあるいは外来ノイズ検出アンテナの位置にあることを特徴とする電磁妨害波測定装置。
【発明の詳細な説明】
【０００１】
【発明の属する技術分野】
本発明は、電磁妨害波測定装置、より詳細には、ディジタル回路等の電磁波ノイズを発生する被測定物から電磁波か、外来ノイズかの測定を行い、外来ノイズを除去して、被測定物からの電磁波を測定するようにした、電磁波ノイズ対策としての、電磁妨害波測定装置に関する。
【０００２】
【従来の技術】
電子部品からの電磁波ノイズを測定する方法として、従来、例えば、特開平６−５８９７０号公報に記載されているように、いくつかのループアンテナを碁盤目状に並べ近傍磁界を測定する方法、あるいは、直線ステージでループアンテナの位置制御をおこなって近傍磁界を測定する方法が提案されている。これらの測定方法は、主に、実験室でおこなわれていたが、より微弱なノイズを測定する場合には、周辺からの外来ノイズを遮るために高価な電波暗室などを使用するため、コストと利便性に問題があった。
【０００３】
【発明が解決しようとする課題】
上述のように、従来、いくつかのループアンテナを碁盤目状に並べ近傍磁界を測定する方法、あるいは、直線ステージでループアンテナの位置制御をおこなって近傍磁界を測定する方法が提案されているが、これらの測定方法は、主に、実験室でおこなわれており、より微弱なノイズを測定する場合は、周辺からの外来ノイズを遮るために、高価な電波暗室などを使用し、コストと利便性に問題があった。
【０００４】
本発明は、上述のごとき実情に鑑みてなされたもので、特に、被測定物とＥＭＩ（電磁波障害）測定アンテナを含む測定システムの周りに外来ノイズ検出用のアンテナを配置し、ＥＭＩアンテナと外来ノイズ検出アンテナとでの電磁波発生のタイミングから、被測定物からの電磁波かあるいは外来ノイズかの判断を行い、これにより実験室レベルでの（つまり電波暗室を使用することなく）外来ノイズを除去した、電磁妨害波測定を可能としたものである。
【０００５】
【課題を解決するための手段】
請求項１の発明は、中央制御装置、ＥＭＩアンテナ、ＥＭＩアンテナ位置移動装置、デジタイザ装置、周波数解析装置、データ記憶装置、外来ノイズ検出アンテナを有し、被測定物及びＥＭＩアンテナを囲むように複数の外来ノイズ検出アンテナを配設し、前記被測定物からの電磁妨害波を測定する電磁妨害波測定装置において、前記ＥＭＩアンテナ、外来ノイズ検出アンテナで検出された電磁波ノイズのタイミングで被測定対象物からの電磁波ノイズか外来電磁波ノイズか判断を行うことを特徴とし、もって、高価な電波暗室を使用することなく、外来ノイズを除去した電磁妨害波測定を可能としたものである。
【０００６】
請求項２の発明は、請求項１の発明において、前記外来ノイズ検出アンテナの外側にさらにもう１層外来ノイズ検出アンテナを配置し、電磁波ノイズのタイミングで被測定対象物からの電磁波ノイズか外来電磁波ノイズか判断を行う場合、電磁波の空間伝搬位相も考慮に入れることを特徴とし、もって、外来ノイズの除去をより確実にするようにしたものである。
【０００７】
請求項３の発明は、請求項２の発明において、装置全体をシート状のもので密封し、内部に高誘電体気体を充満させ、電磁波ノイズのタイミングで被測定対象物からの電磁波ノイズか外来電磁波ノイズか判断を行う場合、電磁波の空間伝搬位相と誘電体気体の誘電率も考慮に入れることを特徴とし、もって、より微弱な外来ノイズを除去するようにしたものである。
【０００８】
請求項４の発明は、請求項１の発明において、前記ＥＭＩアンテナあるいは外来ノイズ検出アンテナをＸＹ直交成分の電磁波を検出できるように配置した切り替え装置を有することを特徴とし、もって、ＸＹ成分の電磁波を自動的かつ迅速に測定できるようにしたものである。
【０００９】
請求項５の発明は、請求項１の発明において、前記ＥＭＩアンテナあるいは外来ノイズ検出アンテナをヘリカルアンテナの様な円偏波アンテナとしたことを特徴とし、もって、ＸＹ成分の電磁波を自動的かつ迅速に測定できるようにしたものである。
【００１０】
請求項６の発明は、請求項１の発明において、被測定物の上下に電波吸収体を配置させたことを特徴とし、もって、高価なデジタイザを少なくして計測できるようにしたものである。
【００１１】
請求項７の発明は、請求項６の発明において、前記外来ノイズ検出アンテナがＹ字型に配置されていることを特徴とし、もって、高価なデジタイザを請求項６の発明より少なくして計測できるようにしたものである。
【００１２】
請求項８の発明は、請求項６の発明において、前記外来ノイズ検出アンテナを２つ被測定物を中心として直線状に配置し、そのどちらかの側に反射体を配置したことを特徴とし、もって、高価なデジタイザを請求項７の発明より少なくして計測できるようにしたものである。
【００１３】
請求項９の発明は、請求項６の発明において、前記外来ノイズ検出アンテナを２つ被測定物を中心として直線状に配置し、そのどちらかの側にパラボラ形状の反射体を配置し、その焦点がＥＭＩアンテナあるいは外来ノイズ検出アンテナの位置にあることを特徴とし、もって、請求項８の発明より更に微弱な外来ノイズを除去して計測できるようにしたものである。
【００１４】
【発明の実施の形態】
（請求項１の発明）
図１は、請求項１の発明の一実施例を説明するための要部概略構成図で、図中、１は測定対象物の一例としてのディジタル回路、２は中央制御装置、３はＥＭＩアンテナ、４はＥＭＩアンテナ位置移動装置、５はデジタイザ装置、６は周波数解析装置、７はデータ記憶装置、８は外来ノイズ検出アンテナ、９はデジタイザ装置、１０は周波数解析装置、１１はデータ記憶装置である。
【００１５】
図２は、図１に示した被測定物１、ＥＭＩアンテナ３、外来ノイズ検出アンテナ８１〜８６との位置関係を示す図で、図示のように、被測定物１、ＥＭＩアンテナ３を囲むように外来ノイズ検出アンテナ８１〜８６が配置されている。
【００１６】
中央制御装置２は、ＥＭＩアンテナ３をＥＭＩアンテナ位置移動装置４により所定の位置に移動させる。ＥＭＩアンテナ３の移動が終わった時点で、中央制御装置２はＥＭＩアンテナ３、外来ノイズ検出アンテナ８で発生する逆起電圧をデジタイザ装置５，９でＡ／Ｄ変換する。Ａ／Ｄ変換されたディジタル信号は周波数解析装置６，１０により、微小時間ごとの周波数スペクトルに分解され、アンテナ係数が乗算され、微小時間ごとの磁界の周波数スペクトルが得られ、それぞれデータ記憶装置７，１１に格納される。
【００１７】
図１では、外来ノイズ検出アンテナ８、デジタイザ装置９、周波数解析装置１０、データ記憶装置１１は１式しかないが、実際には、図２に示すように、被測定物１を、例えば、半径１ｍで囲む様に６式ある。ここで、被測定物１から、指向性がＸ軸の右側に強く出る様な電磁波ノイズが発生した場合、該電磁波ノイズは、ＥＭＩアンテナ３で電磁波ノイズが測定されてから所定の時間、つまり、ＥＭＩアンテナ３と外来ノイズ検出アンテナ８１〜８６の距離１ｍを電磁波の速度３×１０８ｍで割った値、すなわち３．３ｎｓ後に外来ノイズ検出アンテナ８１で測定される。逆に、Ｘ軸の右側から外来のノイズが来た場合、この外来ノイズは、外来ノイズ検出アンテナ８１で検出され、それから３．３ｎｓ後にＥＭＩアンテナ３で検出される。これから、それぞれのアンテナでノイズが検出されるタイミングで被測定物１からの電磁波ノイズか外来ノイズかの区別ができる。処理が終わってからＥＭＩアンテナ３をＥＭＩアンテナ位置移動装置４で移動して一連の計測を行う。
【００１８】
（請求項２の発明）
図３は、請求項２の発明の一実施例を説明するための要部概略構成図であるが、以下、全図を通して、図１に示した実施例と同様の作用をする部分には、図１の場合と同一の参照番号を付し、それぞれの説明は省略する。
【００１９】
図４は、図３の示した被測定物１、ＥＭＩアンテナ３、外来ノイズ検出アンテナ８１〜８１２との位置関係を示す図で、図示のように、被測定物１、ＥＭＩアンテナ３を囲むように外来ノイズ検出アンテナ８１〜８１２が２重に配置されている。
【００２０】
中央制御装置２は、ＥＭＩアンテナ３をアンテナ位置移動装置４により所定の位置に移動させる。それから、中央制御装置２はＥＭＩアンテナ３、外来ノイズ検出アンテナ８で発生する逆起電圧をデジタイザ装置５，９でＡ／Ｄ変換する。Ａ／Ｄ変換されたディジタル信号は、周波数解析装置６，１０により、微小時間ごとの周波数スペクトルに分解され、アンテナ係数が乗算され、微小時間ごとの磁界の周波数スペクトルが得られ、それぞれデータ記憶装置７，１１に格納される。ここで、ＥＭＩアンテナ３と外来ノイズ検出アンテナ８で検出した電磁波ノイズの発生タイミングで被測定物からの電磁波ノイズか外来ノイズかの判断を行う。ここで、外来ノイズ検出アンテナ８７と８１の距離が０．５ｍ、ＥＭＩアンテナ３と外来ノイズ検出アンテナ８１の距離を０．５ｍとし、Ｘ軸の右側から周波数３００ＭＨｚの外来ノイズが来るとすると、この外来ノイズは、まず、外来ノイズ検出アンテナ８７で検出されてから１．６ｎｓ後に外来ノイズ検出アンテナ８１で位相が１８０°ずれて検出される。この様に、被測定物１からの電磁波ノイズか外来ノイズかの判断を行う場合、空間伝搬位相を考慮に入れることでより確実な判断ができる。
【００２１】
（請求項３の発明）
図５は、請求項３の発明の一実施例を説明するための要部概略構成図で、本発明においては、前述の測定対象物の一例としてのディジタル回路１、中央制御装置２、ＥＭＩアンテナ３、ＥＭＩアンテナ位置移動装置４、デジタイザ装置５、周波数解析装置６、データ記憶装置７、外来ノイズ検出アンテナ８、デジタイザ装置９、周波数解析装置１０、データ記憶装置１１等の装置全体がシート状のもの１２で覆われ、その中が高誘電体の気体で充満される。なお、外来ノイズ検出アンテナ８は図４に示した様に被測定物１を囲むように２重に配置される。
【００２２】
中央制御装置２はＥＭＩアンテナ３をＥＭＩアンテナ位置移動装置４により所定の位置に移動させる。それから、中央制御装置２はＥＭＩアンテナ３、外来ノイズ検出アンテナ８で発生する逆起電圧をデジタイザ装置５，９でＡ／Ｄ変換する。このＡ／Ｄ変換されたディジタル信号は周波数解析装置６，１０により、微小時間ごとの周波数スペクトルに分解され、アンテナ係数が乗算され、微小時間ごとの磁界の周波数スペクトルが得られ、それぞれ、データ記憶装置７，１１に格納される。ここで、ＥＭＩアンテナ３と外来ノイズ検出アンテナ８で検出した電磁波ノイズの発生タイミングと空間伝搬時間から被測定物１からの電磁波ノイズか外来ノイズかの判断を行う。ここで、電磁波の強さは放射源からの距離に反比例するが周波数は誘電率の平方根に比例するので、高誘電体の気体があればそれだけ短い距離で空間伝搬位相がでるため、より微弱な外来ノイズの検出が可能となる。
【００２３】
（請求項４の発明）
図６は、請求項４の発明の一実施例を説明するための要部概略構成図で、図中、１４，１５はアンテナ切り替え装置で、アンテナ切り替え装置１４は、図７に示すように、Ｘ，Ｙ成分検出ループアンテナ３が２つ接続していて、該アンテナ切り替え装置１４によりどちらかのデータを取り込める様になっている。中央制御装置２はＥＭＩアンテナ３をアンテナ位置移動装置４により所定の位置に移動する。アンテナ位置の移動が終わった時点でＥＭＩアンテナ３と外来ノイズ検出アンテナ８を切り替え装置１４，１５でＸ方向の磁界へ測定するようにする。それから、中央制御装置２はＥＭＩアンテナ３、外来ノイズ検出アンテナ８で発生する逆起電圧をデジタイザ装置５，９でＡ／Ｄ変換する。Ａ／Ｄ変換されたディジタル信号は周波数解析装置６，１０により、微小時間ごとの周波数スぺクトルに分解され、アンテナ係数が乗算され、微小時間ごとの磁界の周波数スペクトルが得られ、それぞれデータ記憶装置７，１１に格納される。ここで、ＥＭＩアンテナ３と外来ノイズ検出アンテナ８で検出した電磁波ノイズの発生タイミングで被測定物からの電磁波ノイズか外来ノイズかの判断を行う。それから、ＥＭＩアンテナ３と外来ノイズ検出アンテナ８を切り替え装置１４，１５でＹ方向の磁界を測定するようにし、一連の測定を行う。
【００２４】
（請求項５の発明）
図８は、請求項５の発明の一実施例を説明するための要部概略構成図で、中央制御装置２は、アンテナ位置移動装置４によりＥＭＩアンテナ３を所定の位置に移動させる。アンテナ３，８はヘリカルアンテナのような円偏波アンテナとなっており、ＸＹ方向の直線偏波の電磁波を検出できるようになっている。それから、中央制御装置２はＥＭＩアンテナ３、外来ノイズ検出アンテナ８で発生する逆起電圧をデジタイザ装置５，９でＡ／Ｄ変換する。Ａ／Ｄ変換されたディジタル信号は周波数解析装置６，１０により、微小時間ごとの周波数スペクトルに分解され、アンテナ係数が乗算され、微小時間ごとの磁界の周波数スペクトルが得られ、それぞれのデータ記憶装置７，１１に格納される。ここで、ＥＭＩアンテナ３と外来ノイズ検出アンテナ８で検出した電磁波ノイズの発生タイミングで被測定物からの電磁波ノイズか外来ノイズかの判断を行う。
【００２５】
（請求項６の発明）
図９は、請求項６の発明の一実施例を説明するための要部概略構成図で、図中、１６は電波吸収体で、図１０に示されているように、被測定物１、ＥＭＩアンテナ３を囲むように外来ノイズ検出アンテナ８１〜８４が配置されており、前記電波吸収体１６は被測定物１の上下にあって内側にウレタンの電波吸収体、外側にアルミ等の良導体がある構造となっている。中央制御装置２はアンテナ位置移動装置４によりＥＭＩアンテナ３を所定の位置に移動させる。それから、中央制御装置２のデジタイザ装置５，９でＥＭＩアンテナ３、外来ノイズ検出アンテナ８で発生する逆起電圧をＡ／Ｄ変換する。Ａ／Ｄ変換されたディジタル信号は周波数解析装置６，１０により、微小時間ごとの周波数スペクトルに分解され、アンテナ係数が乗算され、微小時間ごとの磁界の周波数スペクトルが得られ、それぞれデータ記憶装置７，１１に格納される。ここで、ＥＭＩアンテナ３と外来ノイズ検出アンテナ８で検出した電磁波ノイズの発生タイミングで被測定物からの電磁波ノイズか外来ノイズかの判断を行うが、本発明によると、電波吸収体１６でＺ方向の外来電波は来ないので、このＺ軸方向の外来電波を考慮する必要はない。
【００２６】
（請求項７の発明）
図１１は、請求項７の発明の一実施例を説明するための要部概略構成図で、図中、１６は電波吸収体で、この発明においては、図１２に示されているように、被測定物１、ＥＭＩアンテナ３を囲むようにＹ字型に外来ノイズ検出アンテナ８１〜８３が配置されている。電波吸収体１６は被測定物１の上下にあって内側にウレタンの電波吸収体、外側にアルミ等の良導体がある構造となっている。中央制御装置２は、ＥＭＩアンテナ３をアンテナ位置移動装置４により所定の位置に移動させる。それから、中央制御装置２はＥＭＩアンテナ３、外来ノイズ検出アンテナ８で発生する逆起電圧をデジタイザ装置５，９でＡ／Ｄ変換する。Ａ／Ｄ変換されたディジタル信号は周波数解析装置６，１０により、微小時間ごとの周波数スペクトルに分解され、アンテナ係数が乗算され、微小時間ごとの磁界の周波数スペクトルが得られ、それぞれ、データ記憶装置７，１１に格納される。ここで、ＥＭＩアンテナ３と外来ノイズ検出アンテナ８で検出した電磁波ノイズの発生タイミングで被測定物からの電磁波ノイズか外来ノイズかの判断を行うが、電波吸収体１６でＺ軸方向の外来電波は来ないので考慮する必要はない。ここで、本発明においては、外来ノイズ検出アンテナ８がＹ字型に配置されているのでＸＹの両方向から来る外来ノイズの判断が可能となる。
【００２７】
図１３は、請求項８の発明の一実施例を説明するための要部概略構成図で、図中、１６は電波吸収体、１７は電波反射体で、被測定物１、ＥＭＩアンテナ３、外来ノイズ検出アンテナ８１，８２、電波吸収体１６、反射体１７は、図１４に示すように配設され、外来ノイズ検出アンテナ８１，８２はＹ軸上に被測定物１、ＥＭＩアンテナ３を囲むように配置されている。電波吸収体１６は被測定物１の上下にあって内側にウレタンの電波吸収体、外側にアルミ等の良導体がある構造となっている。また、アルミ等の良導体による電波反射体１７がＸ軸左側に配置してある。
【００２８】
中央制御装置２は、アンテナ位置移動装置４によりＥＭＩアンテナ３を所定の位置に移動させる。それから、中央制御装置２はＥＭＩアンテナ３、外来ノイズ検出アンテナ８で発生する逆起電圧をデジタイザ装置５，９でＡ／Ｄ変換する。Ａ／Ｄ変換されたディジタル信号は周波数解析装置６，１０により微小時間ごとの周波数スペクトルに分解され、アンテナ係数が乗算され、微小時間ごとの磁界の周波数スペクトルが得られ、それぞれデータ記憶装置７，１１に格納される。ここで、ＥＭＩアンテナ３と外来ノイズ検出アンテナ８で検出した電磁波ノイズの発生タイミングで被測定物からの電磁波ノイズか外来ノイズかの判断を行うが、電波吸収体１６によりＺ方向の外来電波は来ないので考慮する必要はない。また、Ｘ軸左側からの外来ノイズは反射体１７で反射される。また、Ｘ軸右からの外来ノイズは反射体１７で反射され外来ノイズ検出アンテナ８で検出できるのでＸＹ方向の外来ノイズの判断が出来る。
【００２９】
（請求項９の発明）
図１５は、請求項９の発明の一実施例を説明するための要部概略構成図で、図中、１６は電波吸収体、１８はパラボラ形状の電波反射体で、被測定物１、ＥＭＩアンテナ３、外来ノイズ検出アンテナ８１，８２、電波吸収体１６、パラボラ形状の反射体１８は、図１６に示すように配設され、外来ノイズ検出アンテナ８１，８２はＹ軸上に被測定物１、ＥＭＩアンテナ３を囲むように配置されている。電波吸収体１６は被測定物１の上下にあって内側にウレタンの電波吸収体、外側にアルミ等の良導体がある構造となっている。また、アルミ等の良導体によるパラボラ形状の反射体１８がＸ軸左側に配置してある。
【００３０】
中央制御装置２はアンテナ位置移動装置４によりＥＭＩアンテナ３を所定の位置に移動する。それから、中央制御装置２はＥＭＩアンテナ３、外来ノイズ検出アンテナ８で発生する逆起電圧をデジタイザ装置５，９でＡ／Ｄ変換する。Ａ／Ｄ変換されたディジタル信号は周波数解析装置６，１０により、微小時間ごとの周波数スペクトルに分解され、アンテナ係数が乗算され、微小時間ごとの磁界の周波数スペクトルが得られ、それぞれデータ記憶装置７，１１に格納される。ここで、ＥＭＩアンテナ３と外来ノイズ検出アンテナ８で検出した電磁波ノイズの発生タイミングで被測定物からの電磁波ノイズか外来かの判断を行うが、電波吸収体１６でＺ軸方向の外来電波は来ないので考慮する必要はない。また、Ｘ軸左側からの外来ノイズはパラボラ形状反射体１８で反射される。また、Ｘ軸右からの外来ノイズはパラボラ形状の反射体１８で反射され、外来ノイズ検出アンテナ８で検出される。この時、電磁波の波長の１０倍の大きさがあればパラボラアンテナとして焦点に電磁波を集める効果が期待できる。例えば、周波数が６００ＭＨｚあれば波長は０．５ｍで、パラボラ形状の反射体が５ｍの大きさであれば良い。この時、焦点を外来ノイズ検出アンテナ８にすれば請求項８の発明より更に微弱な外来ノイズを検出可能となる。
【００３１】
【発明の効果】
請求項１の発明は、中央制御装置、ＥＭＩアンテナ、ＥＭＩアンテナ位置移動装置、デジタイザ装置、周波数解析装置、データ記憶装置、外来ノイズ検出アンテナを有し、被測定物及びＥＭＩアンテナを囲むように複数の外来ノイズ検出アンテナを配設し、前記被測定物からの電磁妨害波を測定する電磁妨害波測定装置において、前記ＥＭＩアンテナ、外来ノイズ検出アンテナで検出された電磁波ノイズのタイミングで被測定対象物からの電磁波ノイズか外来電磁波ノイズか判断を行うようにしたので、高価な電波暗室を使用することなく、外来ノイズを除去した電磁妨害波測定が可能である。
【００３２】
請求項２の発明は、請求項１の発明において、前記外来ノイズ検出アンテナの外側にさらにもう１層外来ノイズ検出アンテナを配置し、電磁波ノイズのタイミングで被測定対象物からの電磁波ノイズか外来電磁波ノイズか判断を行う場合、電磁波の空間伝搬位相も考慮に入れるようにしたので、外来ノイズの除去がより確実になる。
【００３３】
請求項３の発明は、請求項２の発明において、装置全体をシート状のもので密封し、内部に高誘電体気体を充満させ、電磁波ノイズのタイミングで被測定対象物からの電磁波ノイズか外来電磁波ノイズか判断を行う場合、電磁波の空間伝搬位相と誘電体気体の誘電率も考慮に入れるようにしたので、より微弱な外来ノイズを除去することができる。
【００３４】
請求項４の発明は、請求項１の発明において、前記ＥＭＩアンテナあるいは外来ノイズ検出アンテナをＸＹ直交成分の電磁波を検出できるように配置した切り替え装置を有したので、ＸＹ成分の電磁波を自動的かつ迅速に測定できる。
【００３５】
請求項５の発明は、請求項１の発明において、前記ＥＭＩアンテナあるいは外来ノイズ検出アンテナをヘリカルアンテナの様な円偏波アンテナとしたので、ＸＹ両方向成分の電磁波を自動的かつ迅速に測定できる。
【００３６】
請求項６の発明は、請求項１の発明において、被測定物の上下に電波吸収体を配置させるようにしたので、高価なデジタイザを少なくして計測できる。
【００３７】
請求項７の発明は、請求項６の発明において、前記外来ノイズ検出アンテナがＹ字型に配置されているので、高価なデジタイザを請求項６の発明より少なくして計測できる。
【００３８】
請求項８の発明は、請求項６の発明において、前記外来ノイズ検出アンテナを２つ被測定物を中心として直線状に配置し、該被測定物の側方のどちらかに反射体を配置したので、高価なデジタイザを請求項７の発明より更に少なくして計測できる。
【００３９】
請求項９の発明は、請求項６の発明において、前記外来ノイズ検出アンテナを２つ被測定物を中心として直線状に配置し、そのどちらかの側にパラボラ形状の反射体を配置し、その焦点がＥＭＩアンテナあるいは外来ノイズ検出アンテナの位置にあるようにしたので、請求項８の発明より更に微弱な外来ノイズを除去して計測できる。
【図面の簡単な説明】
【図１】請求項１の発明の一実施例を説明するための要部概略構成図である。
【図２】図１に示した被測定物、ＥＭＩアンテナ、外来ノイズ検出アンテナとの位置関係を示す図である。
【図３】請求項２の発明の一実施例を説明するための要部概略構成図である。
【図４】図３の示した被測定物、ＥＭＩアンテナ、外来ノイズ検出アンテナとの位置関係を示す図である。
【図５】請求項３の発明の一実施例を説明するための要部概略構成図である。
【図６】請求項４の発明の一実施例を説明するための要部概略構成図である。
【図７】Ｘ，Ｙ成分検出用ループアンテナの接続例を示す図である。
【図８】請求項５の発明の一実施例を説明するための要部概略構成図である。
【図９】請求項６の発明の一実施例を説明するための要部概略構成図である。
【図１０】図９に示した電波吸収体の配設例を示す図である。
【図１１】請求項７の発明の一実施例を説明するための要部概略構成図である。
【図１２】外来ノイズ検出アンテナの配設例を示す図である。
【図１３】請求項８の発明の一実施例を説明するための要部概略構成図である。
【図１４】電波吸収体及び電波反射体の配設例を示す図である。
【図１５】請求項９の発明の一実施例を説明するための要部概略構成図である。
【図１６】図１５に示したパラボラ形電波反射体の配設例を示す図である。
【符号の説明】
１…被測定物、２…中央制御装置、３…ＥＭＩアンテナ、４…ＥＭＩアンテナ位置移動装置、５…デジタイザ装置、６…周波数解析装置、７…データ記憶装置、８…外来ノイズ検出アンテナ、９…デジタイザ装置、１０…周波数解析装置、１１…データ記憶装置、１２…シート、１４，１５…アンテナ切り替え装置、１６…電波吸収体、１７…電波反射体、１８…パラボラ形電波反射体。
【図１】
0003606718.tif 000002
【図２】
0003606718.tif 000003
【図３】
0003606718.tif 000004
【図４】
0003606718.tif 000005
【図５】
0003606718.tif 000006
【図６】
0003606718.tif 000007
【図７】
0003606718.tif 000008
【図８】
0003606718.tif 000009
【図９】
0003606718.tif 000010
【図１０】
0003606718.tif 000011
【図１１】
0003606718.tif 000012
【図１２】
0003606718.tif 000013
【図１３】
0003606718.tif 000014
【図１４】
0003606718.tif 000015
【図１５】
0003606718.tif 000016
【図１６】
0003606718.tif 000017